(57)【特許請求の範囲】
【請求項１】
マイクロホンユニットをその前部音響端子と後部音響端子とを表出させて保持する保持用ガスケットと、該保持用ガスケットの外周面との間に隙間を介在させ、かつ、収容された前記保持用ガスケットによりその内部空間が先端開口側に臨む第１空気室と基端開口側に臨む第２空気室とに仕切られる音響管とで少なくとも構成され、前記基端開口が閉止された前記音響管内にて前記マイクロホンユニットの後部音響端子側に確保される前記第２空気室と連通させた音波導入口を前記音響管に少なくとも設けてなる狭指向性マイクロホンにおいて、
前記音波導入口は、その内側と外側とに音響抵抗機能を付加して仕切られた第３空気室とするとともに、前記後部音響端子は、その表出面側に音響抵抗機能を付加することで、前記第３空気室から前記第２空気室を経て前記後部音響端子へと到達する空気圧力の制御を自在としたことを特徴とする狭指向性マイクロホン。
【請求項２】
前記音波導入口の内側における音響抵抗機能は、弾性材からなる音響抵抗材を前記音響管の内側面に配置し、かつ、マイクロホンユニットを保持する前記保持用ガスケットを弾性的に下支えさせることで付加した請求項１に記載の狭指向性マイクロホン。
【発明の詳細な説明】
【技術分野】
【０００１】
本発明は、後部音響端子に到達する空気圧力を減少させることで風雑音を低減させると同時に、防振効果をも確保することができるようにした狭指向性マイクロホンに関する技術である。
【背景技術】
【０００２】
音響管の一端側に単一指向性のマイクロホンユニットを収容して形成される狭指向性マイクロホンは、例えば下記特許文献１に開示されているように、音響管の内周面とマイクロホンユニットの外周面との間に空気路として機能する隙間を確保させ、これにより低周波数域の収音の際に発生する風雑音を低減させることができるようになっている。
【特許文献１】実開平５−３４７９６号公報
【０００３】
通常、風雑音は、マイクロホンユニットにおける前部音響端子と後部音響端子との間に、大きな圧力差が生じることに起因して発生する。このため、狭指向性マイクロホンは、上記した空気路を介在させることで前部音響端子と後部音響端子との間で圧力等価を行って風雑音を低減させるようにしている。
【０００４】
しかも、狭指向性マイクロホンは、上記特許文献１に開示されているように、音響管内にマイクロホンユニットの後部音響端子の側を防振的に支持させて振動雑音を軽減させる必要もある。
【０００５】
図５は、上記特許文献１を含む従来からある狭指向性マイクロホンの一例を示す説明図であり、そのうちの（ａ）は断面構造を、（ｂ）は（ａ）を軸回りに９０°回転させた際の側面図をそれぞれ示す。同図によれば、狭指向性マイクロホン１は、コンデンサ型のマイクロホンユニット２と、基端開口５ａと先端開口５ｂとを有してマイクロホンユニット２を収容する音響管５とで少なくとも構成されている。
【０００６】
このうち、前部音響端子２ａと後部音響端子２ｂとを備えるマイクロホンユニット２は、弾性変形する保持プレート４で保持させながら設置されている保持用ガスケット材３を介して音響管５内の基端開口５ａ寄りに位置固定されている。この場合、マイクロホンユニット２の後部音響端子２ｂは、遮蔽されることなく開放されている。なお、マイクロホンユニット２内の図示しない固定極からは、接続コードＣが引き出されている。
【０００７】
一方、音響管５は、その長さ方向に形成されたスリット６ａと、基端開口５ａ寄りの周方向に設けられた音波導入口６ｂと、先端開口５ｂとからなる音波入射口６を備えている。
【０００８】
この場合、スリット６ａと音波導入口６ｂとは、相互に直交する位置関係のもとで設けられており、周方向に１８０°離れた位置にも同様の位置関係のもとで別途設けられている。
【０００９】
一方、音響管５の内部空間は、マイクロホンユニット２を介して前部空気室Ｍ１と後部空気室Ｍ２とに仕切られている。また、音波導入口６ｂは、該音波導入口６ｂに通じる後部空気室Ｍ２を介して、後部音響端子２ａを自由音場へと臨ませている。また、音響管５の基端開口５ａは、音波入射を阻止すべく接続コードＣが引き出された閉止ガスケット７を介して閉止されている。
【００１０】
音波入射口６を構成している各スリット６ａは、音響管５に貼着された両面テープ８に重ね貼りされたフェルトやナイロンメッシュ等の不織布で形成された音響抵抗シート９により各別に覆われている。
【００１１】
また、マイクロホンユニット２を保持する保持用ガスケット材３の外径は、音響管５の内径よりもやや小さく形成されている。そのため、マイクロホンユニット２とともに保持用ガスケット材３を音響管５内に収容した際には、保持用ガスケット材３と音響管５との間に空隙ｓを確保することができる結果、該空隙ｓをマイクロホンユニット２の前部音響端子２ａと後部音響端子２ｂとを音響的に接続させる空気路として機能させることができることになる。
【００１２】
このため、前部音響端子２ａと後部音響端子２ｂとの間に生じる圧力差は、空気路である空隙ｓを介した圧力等価により緩和されることになる。狭指向性マイクロホン１は、このように前部音響端子２ａと後部音響端子２ｂとの間の圧力差を解消させることで、風雑音を低減できるように形成されている。
【００１３】
また、保持プレート４は、その外周側に放射状に形成した各圧接片４ａを備えており、これらの圧接片４ａを音響管５の内側面に圧接させることで、マイクロホンユニット２側を音響管５内に定置させることができるようになっている。
【発明の開示】
【発明が解決しようとする課題】
【００１４】
ところで、従来からある狭指向マイクロホン１は、先端開口５ｂを布やスポンジなどで覆ったり、スリット６ａを不織布などで形成されている音響抵抗シート９で覆うなどして、前部音響端子２ａの側に到達する空気圧力を低下させ、かつ、空隙ｓを介して確保される圧力等価により、前部音響端子２ａと後部音響端子２ｂとの間の圧力差を解消させることで、風雑音を低減できるように形成されている。
【００１５】
しかしながら、狭指向性マイクロホン１は、前部音響端子２ａへ到達する空気圧力を低下させることはできるものの、音波導入口６ｂを経て後部音響端子２ｂへと到達する空気圧力を低下させることはできない。このため、図５に示す狭指向性マイクロホン１による場合には、空隙ｓを介しての圧力等価を十分には行うことができないという不具合があった。とりわけ、図示例のように音波導入口６ｂが音響抵抗材で覆われていない狭指向性マイクロホン１にあっては、音波導入口６ｂに風が当たるなどして発生する風雑音を効果的に低減できないという問題があった。
【００１６】
しかも、狭指向性マイクロホン１は、マイクロホンユニット２の後部音響端子２ｂの側が防振的に支持される必要もあり、そのための支持部材を音響管５内に別部材として配設することで、部材構成が複雑化してしまい、組立工数もそれだけ増えて効率的に生産できなくなるという不都合もあった。
【００１７】
本発明は、従来技術の上記課題に鑑み、音波導入口を介して発生する風雑音を効果的に低減すると同時に、防振効果も確保できるようにした狭指向性マイクロホンを提供することを目的としている。
【課題を解決するための手段】
【００１８】
本発明は、上記目的を達成すべくなされたもので、マイクロホンユニットをその前部音響端子と後部音響端子とを表出させて保持する保持用ガスケットと、該保持用ガスケットの外周面との間に隙間を介在させ、かつ、収容された前記保持用ガスケットによりその内部空間が先端開口側に臨む第１空気室と基端開口側に臨む第２空気室とに仕切られる音響管とで少なくとも構成され、前記基端開口が閉止された前記音響管内にて前記マイクロホンユニットの後部音響端子側に確保される前記第２空気室と連通させた音波導入口を前記音響管に少なくとも設けてなる狭指向性マイクロホンにおいて、前記音波導入口は、その内側と外側とに音響抵抗機能を付加して仕切られた第３空気室とするとともに、前記後部音響端子は、その表出面側に音響抵抗機能を付加することで、前記第３空気室から前記第２空気室を経て前記後部音響端子へと到達する空気圧力の制御を自在としたことを最も主要な特徴としている。
【００１９】
この場合、前記音波導入口の内側における音響抵抗機能は、弾性材からなる音響抵抗材を前記音響管の内側面に配置し、かつ、マイクロホンユニットを保持する前記保持用ガスケットを弾性的に下支えさせることで付加するのが好ましい。
【発明の効果】
【００２０】
本発明のうち、請求項１に係る発明によれば、音波導入口を経て音響管内に侵入する大きな空気圧力は、音波導入口の内側と外側とに音響抵抗機能を付加して仕切られた第３空気室と第２空気とを経た上で、音響抵抗機能が付加された後部音響端子へと到達させることで、段階的に低下させることができ、したがって、風雑音の発生を効果的に低減させることができる
【００２１】
また、請求項２に係る発明によれば、音波導入口の内側における音響抵抗機能は、弾性材からなる音響抵抗材を音響管の内側面に配置し、かつ、マイクロホンユニットを保持する保持用ガスケットを弾性的に下支えさせることで付加させてあるので、特別に防振材を配設することなくマイクロホンユニットへと伝わる振動雑音を効果的に緩和させることができる。
【発明を実施するための最良の形態】
【００２２】
図１は、本発明の一例を示す説明図であり、そのうちの（ａ）は断面構造を、（ｂ）は（ａ）を軸回りに９０°回転させた際の側面図をそれぞれ示す。図２は、図１（ａ）における破線囲繞部位を拡大して示す説明図である。
【００２３】
これらの図によれば、狭指向性マイクロホン１１は、前部音響端子１２ａと後部音響端子１２ｂとを備えるコンデンサ型のマイクロホンユニット１２と、基端開口３２ａと先端開口３２ｂとを有し、かつ、基端開口３２ａ近傍位置にマイクロホンユニット１２側を位置固定して収容する音響管３２とを少なくとも備えている。
【００２４】
このうち、マイクロホンユニット１２は、その外径が音響管３２の内径よりもやや小さな外径を備えるゴムなどの弾性材からなる保持用ガスケット１３内に、その外周面１９側が包み込まれるようにして保持されて音響管３２内に収容される。
【００２５】
この場合、該保持用ガスケット１３は、その先端部側に小径空間部１６を有し、該小径空間部１６との間にやや大径な段差空間部１７を介在させた基端部側にマイクロホンユニット１２を収容するための大径空間部１８を有する筒状に形成されており、収容時に外周面１９と音響管３２の内側面３６との間に空気路として機能する隙間ｓを確保することができるようになっている。このため、マイクロホンユニット１２は、その前部音響端子１２ａと後部音響端子１２ｂとが隙間ｓを介して音響管３２内で音響的に接続されることになる。
【００２６】
また、保持用ガスケット１３は、マイクロホンユニット１２の前部音響端子１２ａが位置する側の先端側端面１３ａ上に突設されたドーム状などの断面形状を備える一側突条部１４を、後部音響端子１２ｂが位置する側の開放縁寄りに位置する基端側端面１３ｂから下方に向けて突設されたドーム状などの断面形状を備える他側突条部１５をそれぞれ備えている。
【００２７】
一方、音響管３２は、適宜長さを備える円筒状のアルミニウムなどの金属材により形成されている。また、音響管３２は、その長さ方向に形成されたスリット３３と、基端開口３２ａ寄りの周方向に設けられた音波導入口３４とを備えており、これらスリット３３と音波導入口３４とのほか、先端開口３２ｂとで音波入射口４２を形成している。
【００２８】
この場合、スリット３３と音波導入口３４とは、相互に直交する位置関係のもとで音響管３２に設けられるものであり、周方向に１８０°離れた位置にも同様の位置関係のもとで別途設けられている。
【００２９】
また、音響管３２内は、マイクロホンユニット１２を保持させた保持用ガスケット１３を介して第１空気室３７と第２空気室３８とに仕切られている。なお、音響管３２の基端開口３２ａは、音波入射を阻止すべく接続コードＣが引き出された閉止ガスケット３５を介して閉止されている。
【００３０】
しかも、マイクロホンユニット１２を保持させた保持用ガスケット１３と閉止ガスケット３５との間に位置する音響管３２の内側面３６には、音響抵抗機能を付加するために、厚さが１／５程度となるまで加熱圧縮されたスポンジ（例えばブリジストン社製ＨＲ５０）などからなる第１音響抵抗材４３が添設されて音波導入口３４を内側から覆っている。
【００３１】
該第１音響抵抗材４３は、その開口縁４３内に保持用ガスケット１３の他側突起部１４と嵌合するように配置することで、マイクロホンユニット２２を保持させた保持用ガスケット１３を弾性的に下支えできるようになっている。
【００３２】
また、マイクロホンユニット１２の後部音響端子１２ｂの表出面側は、音響抵抗機能を付加するための第２音響抵抗材４５で覆われている。該第２音響抵抗材４５は、第１音響抵抗材４３と同一仕様のスポンジなどで形成されており、保持用ガスケット１３の他側突起部１４を介して嵌合保持されている。
【００３３】
しかも、マイクロホンユニット１２を保持させた保持用ガスケット１３は、外周側に放射状に形成された圧接片２３を備え、かつ、中央部に開口部２４を設けた保持プレート２２を、音響管３２内に圧入して各圧接片２３を音響管３２の内側面３６側に圧接させることで位置固定されている。
【００３４】
さらに、音響管３２の各スリット３３は、外側から覆うようにして貼着された両面テープ４６に重ね貼りされたフェルトやナイロンメッシュのような不織布や布などで形成された第１音響抵抗シート４７により各別に覆われている。
【００３５】
また、音響管３２の各音波導入口３４の外側は、音響抵抗機能を付加するために、例えばΦ０．０５ｍｍ，＃１６５のステンレスメッシュや、スポンジ（例えばブリジストン社製ＨＲ５０）などからなる第２音響抵抗シート４８を適宜の接着剤で貼着した状態のもとで覆われている。
【００３６】
このため、第２空気室３８は、音響管３２の各音波導入口３４を内周面３６側から覆う第１音響抵抗材４３と、マイクロホンユニット２２の後部音響端子１２ｂの表出面を覆う第２音響抵抗材４５とを備えて確保されることになる。
【００３７】
しかも、音響管３２の各音波導入口３４は、その外側も第２音響抵抗シート４７で覆われているので、該第２音響抵抗シート４７と第１音響抵抗材４３との間に第３空気室３９が確保されることになる。
【００３８】
次に、図１および図２を参酌して本発明の作用および効果を説明すれば、音響管３２の各音波導入口３４は、その外側が第２音響抵抗シート４８で、内側面３６側が第２音響抵抗材４５でそれぞれ塞がれている。また、該第２音響抵抗材４５は、マイクロホンユニット２２を保持させた保持用ガスケット１３を弾性的に下支えしている。さらに、マイクロホンユニット１２の後部音響端子１２ｂは、第１音響抵抗材４３で塞がれている。
【００３９】
このため、各音波導入口３４を経て音響管３２内に侵入する大きな空気圧力は、第２音響抵抗シート４７→第３空気室３９→第２音響抵抗材４５→第２空気３８→第１音響抵抗材３７の経路を経ることで段階的に低下させつつ後部音響端子１２ｂへと到達させることができる。したがって、各音波導入口３４を介して発生しがちな風雑音は、効果的に低減させることができることになる。
【００４０】
しかも、前部音響端子１２ａと後部音響端子１２ｂとの間に生じがちな大きな圧力差は、空気路としての隙間ｓを介して圧力等価させることで解消させることができる。
【００４１】
図３は、狭指向性マイクロホンについての指向特性グラフであり、このうち（ａ）は図５に示す従来例についての測定結果を、（ｂ）は図１に示す本発明についての測定結果をそれぞれ示す。同図によれば、本発明が適用された狭指向性マイクロホン１１は、前方である０°方向（図の太実線）と側方である９０°方向（図の実線）の指向特性が３００Ｈｚ付近よりも低周波数域が平坦化しており、低周波数域の周波数特性を改善できることが判明する。
【００４２】
また、図４は、狭指向性マイクロホンについての風雑音特性グラフであり、このうち（ａ）は図５に示す従来例についての測定結果を、（ｂ）は図１に示す本発明についての測定結果をそれぞれ示す。同図によれば、本発明が適用された狭指向性マイクロホン１１は、２０〜５０Ｈｚの周波数域での利得が、従来のものより６〜８ｄＢ程度小さく測定されており、風雑音が１／６〜１／８程度に低減できることを確認することができた。
【００４３】
このように、本発明によれば、各音波導入口３４から後部音響端子１２ｂへと至る空気流入経路については、音波導入口３４の外側を第２音響抵抗シート４８で、内側を第２音響抵抗材４５で覆って確保される第３空気室３９を経て第２空気室３８内に到達させた上で、第１音響抵抗材４３を経て後部音響端子１２ｂへと到達させるものであることから、後部音響端子１２ｂに複数層のウィンドスクリーンを設けた場合と同様の効果を得ることができることになる。
【００４４】
さらに、本発明によれば、マイクロホンユニット１２は、音波導入口３４を内側から塞ぐ目的で配置させた第２音響抵抗材４５により弾性的に下支えさせることができるので、特別な防振材を別途に配置することなく振動雑音を軽減させることもできる。したがって、全体の部材構成は、それだけを簡素化することができる。
【図面の簡単な説明】
【００４５】
【図１】本発明の一例を示す説明図であり、そのうちの（ａ）は断面構造を、（ｂ）は（ａ）を軸回りに９０°回転させた際の側面図をそれぞれ示す。
【図２】図１（ａ）の破線囲繞部位を拡大して示す説明図。
【図３】狭指向性マイクロホンの指向特性グラフで、（ａ）は図５に示す従来例の測定結果を、（ｂ）は図１に示す本発明の適用例についての測定結果をそれぞれ示す。
【図４】狭指向性マイクロホンの風雑音特性グラフで、（ａ）は図５に示す従来例の測定結果を、（ｂ）は図１に示す本発明の適用例についての測定結果をそれぞれ示す。
【図５】従来からある狭指向性マイクロホンの一例を示す説明図であり、そのうちの（ａ）は断面構造を、（ｂ）は（ａ）を軸回りに９０°回転させた際の側面図をそれぞれ示す。
【符号の説明】
【００４６】
１１  狭指向性マイクロホン
１２  マイクロホンユニット
１２ａ  前部音響端子
１２ｂ  後部音響端子
１３  保持用ガスケット
１３ａ  先端側端面
１３ｂ  後端側端面
１４  一側突条部
１５  他側突条部
１６  小径空間部
１７  段差空間部
１８  大径空間部
１９  外周面
２２  保持プレート
２３  圧接片
２４  開口部
３２  音響管
３２ａ  基端開口
３２ｂ  先端開口
３３  スリット
３４  音波導入口
３５  閉止ガスケット
３６  内側面
３７  第１空気室
３８  第２空気室
３９  第３空気室
４２  音波入射口
４３  第１音響抵抗材
４４  上側開口縁
４５  第２音響抵抗材
４６  両面テープ
４７  第１音響抵抗シート
４８  第２音響抵抗シート
ｓ  隙間
Ｃ  接続コード
【図１】
0004926885.tif 000002
【図２】
0004926885.tif 000003
【図３】
0004926885.tif 000004
【図４】
0004926885.tif 000005
【図５】
0004926885.tif 000006